(57)【要約】【課題】便座と本体を完全に分離することにより、容易に充分な清掃ができる暖房便座を供給する。【解決手段】本体８の便座ヒンジ６取付け穴の中には、便座電極１に相対する本体電極２が設けられており、便座３の着脱が可能となる。【選択図】  図２
2004180819.tif 000002
【特許請求の範囲】
【請求項１】
暖房手段付きの便座と、前記暖房手段を制御する本体において、前記便座と前記本体との間の電気接続は有線で繋がれておらず、電極において接続し、かつ分離できる構成からなる暖房便座。
【請求項２】
便座と本体の少なくとも一方にシール手段を設けた請求項１に記載の暖房便座。
【請求項３】
便座と本体の少なくとも一方に磁石を設け、前記磁石により電極を接続する手段とした請求項１に記載の暖房便座。
【請求項４】
便座と本体の少なくとも一方に弾性体を設け、前記弾性体により電極を接続する手段とした請求項１に記載の暖房便座。
【請求項５】
便座と本体の電極の間にガイド手段を設け、前記ガイド手段の誘導により電極を接続する手段とした請求項１〜４のいずれか１項に記載の暖房便座。
【請求項６】
本体の電極側に遮蔽手段を設け、便座の凸部の挿入により前記遮蔽手段が開く構成としてなる請求項１〜５のいずれか１項に記載の暖房便座。
【請求項７】
便座電極側には前記便座電極を覆うカバーを設けた請求項１〜５のいずれか１項に記載の暖房便座。
【請求項８】
便座電極が本体電極から外れると暖房手段への通電をオフにする請求項１に記載の暖房便座。
【発明の詳細な説明】
【０００１】
【発明の属する技術分野】
本発明は、便座に暖房装置のついた暖房便座に関するものである。
【０００２】
【従来の技術】
現在市販されている温水洗浄便座装置や暖房便座装置の暖房便座は、本体と便座とが電気コードで繋がれた構成をしており、便座を本体から取りはずすことができても、電気コードは依然として本体と便座に繋がったままであった。一方、便座を本体から完全に離す構成としては、電気コードの本体側をコネクタ構造にして着脱可能としたものが考案されていた（例えば、特許文献１参照）。
【０００３】
【特許文献１】
特開平７−１０００８３号公報（第１図）
【０００４】
【発明が解決しようとする課題】
しかしながら前記従来の構成では、便座を本体から離すことはできても、便座と本体との間には電気コードが存在し、便座と本体とは繋がれたままなので、便座と本体とを離す自由度は限られている。これは掃除の際に大きな障害となる。例えば便座をトイレ室外に持ち出して洗う等の清掃はできず、その場で雑巾等での拭く程度の清掃しかできなかった。また、本体の掃除の際にも、片手で便座を持ち、もう一方の手で本体の拭き掃除等の清掃をしなければいけないという煩わしさがあった。便座や本体は便器の上に載置されるため非常に汚れやすい環境にありながら、充分な清掃ができないということは使用者にとっても美観上の問題や衛生上の問題など憂慮するべき点が多かった。一方、電気コードの本体側をコネクタ構造にして着脱可能としたものにおいては、便座は本体から完全に分離することができるが、便座には依然として電気コードが存在し、本体から外した後に電気コード（特にコネクタ部）を便器その他にぶつけたり、場合によっては便器内に落としたり水没させたりする恐れもあり、気兼ねなく掃除することが容易ではなかった。本発明は、前記従来の課題を解決するもので、清掃の容易な暖房便座を提供することを目的とする。
【０００５】
【課題を解決するための手段】
前記従来の課題を解決するために、本発明の暖房便座は便座と本体とが電気コードで繋がれていないため、便座を単体で置いて雑巾等で清掃をしたり、トイレ室以外のところに持ち出して充分に清掃することができ、便座を清潔に保つことが可能となる。また本体においても、便座を取りはずして置いておけば、両手を使って充分な清掃が可能となり、便座同様に本体も清潔に保つことができる。
【０００６】
【発明の実施の形態】
請求項１に記載の発明は、暖房手段付きの便座と、暖房手段を制御する本体において、便座と本体との間の電気接続は有線で繋がれておらず、電極において接続し、かつ分離できる構成としたことにより、便座と本体とを独立して清掃することができる。
【０００７】
請求項２に記載の発明は、便座と本体の少なくとも一方にシール手段を設けたことにより、電極の端子部に水が浸入することを防止し、安全に使用することができる。
【０００８】
請求項３に記載の発明は、便座と本体の少なくとも一方に磁石を設け、磁石により電極を接続する手段としたことにより、便座と本体の接続を容易にし、また確実にすることができる。
【０００９】
請求項４に記載の発明は、便座と本体の少なくとも一方に弾性体を設け、弾性体により電極を接続する手段としたことにより、便座と本体の接続を容易にし、また確実にすることができる。
【００１０】
請求項５に記載の発明は、便座と本体の電極の間にガイド手段を設け、ガイド手段の誘導により電極を接続する手段としたことにより、電極端子の誤接続を防止し、便座と本体の接続を容易にし、また確実にするものことができる。
【００１１】
請求項６に記載の発明は、本体電極側に遮蔽手段を設け、便座電極の凸部の挿入により遮蔽手段が開く構成としたことにより、本体電極が露出せず、安全性を確保することができる。
【００１２】
請求項７に記載の発明は、便座電極側には電極を覆うカバーを設けたことにより、便座電極の端子が露出せず、電極端子の保護をすることができる。
【００１３】
請求項８に記載の発明は、便座電極が本体電極から外れると暖房手段への通電をオフにすることにより、万一の時の電気の漏洩を防ぎ、安全性を確保することができる。
【００１４】
【実施例】
以下、本発明の実施例について、図面を参照しながら説明する。
【００１５】
（実施例１）
図１は本発明の第１の実施例における暖房便座の構成図である。図２は便座電極１と本体電極２の接続時の断面図である。図１、２において３は便座で、内部にヒータ４と便座の温度を測定する温度検出手段５とが配設されている。また、便座３のヒンジ６には便座電極１が取り付けられており、便座電極１の内２本はヒータ４とリード線７により内部で接続されており、他の２本は温度検出手段５と接続されている。８は便器に取付けられた本体であり、内部には便座３のヒータ４と温度検出手段５を制御部９が設けられている。また、便座３のヒンジ６を取り付ける本体８の取付け穴の中には、便座電極１に相対する本体電極２が設けられており、制御手部９と接続されている。また、この本体電極２は本体電極ケース１０で覆われており、回転できる構成になっている。
【００１６】
以上のように構成された暖房便座について、以下その動作、作用を説明する。
【００１７】
まず、便座３を開状態で本体に取付け時、便座電極１と本体電極２を合わせて接続する。この際、便座３のヒータ用のリード線７と本体のヒータ用リード線とが接続され、温度検出手段５の線も同様に便座と本体とが接続される。このとき便座電極１の外周と本体電極２の内周形状を単なる円柱ではなく、図３（ａ）のように一部を凸１３もしくは図３（ｂ）のように一部を凹１４形状にして方向性を持たせると、ヒータ４と温度検出手段５の誤接続は生じない。また、凸１３もしくは凹１４の代わりに、Ｄカット等の位置決め形状であれば同様の効果を得ることができるのは言うまでもない。もしくは端子１ａの円周方向の角度ピッチを不均等にしたり、配置する半径を不均一にしても同様な効果が得られる。実使用状態では便座３は閉の状態、つまり便器の上に置かれた状態となる。この際、本体電極２は回転する構成になっているため、便座３と同状態を維持できる。本体８の制御部９は便座３内にある温度検出手段５で便座温度を検知し、あらかじめ設定された温度になるようにヒータ４に通電するしくみになっている。掃除の際は、便座３を上げて開状態にして便座３を外す。このとき便座電極１と本体電極２も同時に外れるため、便座３が本体８から独立した状態になる。
【００１８】
この構成により、便座３を本体８から外して便座電極１を抜くと便座３と本体８とは完全に分離され、便座３を単独で両手で充分に拭き掃除ができ、またトイレ室外に便座３を持って出ることにより、広い場所やふろ場や屋外の洗い場等で充分な清掃が容易となり、便座３を清潔に保つことが可能となる。また、便座３を取りはずして置いておけば、両手が自由になり、両手を使って本体８も充分に清掃することができるため、本体８も清潔に保つことが容易である。
【００１９】
なお、便座電極１の端子は４本であるように図示したが、４本のうち１本をヒータ４と温度検出手段５とで共用で使用することにより（例えばグランド線として）１本数を減らし、合計３本の端子にすることも可能である。
【００２０】
（実施例２）
図４は本発明の第２の実施例における便座電極と本体電極の接続時の断面図を示すものである。便座電極１に溝１５を設け、その溝にシール手段１６を配設している。図４においてシール手段１６はＯリングを用い、便座電極１の外周をシールしている。またシール手段１６は接続時に本体電極２の内周面に圧接されているため、便座電極１と本体電極２との間はＯリングのシールされているため、水等の浸入がなく、電気接続端子部の腐食の心配がなく、安全に暖房便座を使用できる。なお、シール手段１６としてはＯリングの他にＸリング、パッキン等を用いても同様に実施することができる。
【００２１】
（実施例３）
図５は本発明の第３の実施例における便座電極と本体電極の接続時の断面図も示し、便座３の便座電極１に磁石２０を設け、相手側である本体８の本体電極２に磁力で引き付けられる金属片２１を設けている。この構成により便座電極１を本体電極２に近づけると磁石２０の磁力により、本体電極２が便座電極１に引き付けられて接続させることにより、便座電極１と本体電極２の接続を容易にし、また確実にすることができる。
【００２２】
（実施例４）
図６は本発明の第４の実施例における便座電極と本体電極の接続時の断面図を示すもので、便座電極１と本体電極２の接続のために本体８に弾性体２２を構成してある。図６において弾性体２２はコイル状のバネで構成し、本体電極２の背面に備えられている。このことにより、便座３と本体８の電極同士を圧着させることにより、接続を容易にし、まさらに実にすることができる。弾性体２２としては、コイルバネや板バネ等のバネ手段以外に、ゴム等の弾性材料やベローズやシリンダー構成の空気の弾性力を利用したものであっても同様に実施することができる。
【００２３】
（実施例５）
図７（ａ）、（ｂ）および（ｃ）、（ｄ）は本発明の第５の実施例におけるそれぞれ便座電極１の側面図、便座電極１の正面図、本体電極２の正面図、本体電極の側面図である。便座電極１の中心には凸の渦巻き形状のガイド手段２３を設け、それと相対する本体電極２の中心位置に凹の渦巻き形状のガイド手段２３を設けている。便座電極１を本体電極２に近づけると、この渦巻き状のガイド手段２３の先端が本体電極２の凹部２４に入り込み、奥まで挿入すると凸と凹が合い、円周方向の位置が決められ、便座３と本体８の電極の端子が間違いなく接続される。このことにより、電極端子の誤接続を防止し、便座と本体の接続を容易にし、また確実にするものことができる。
【００２４】
（実施例６）
図８（ａ）は本発明の第６の実施例における便座電極と本体電極の接続時の断面図である。図において、本体電極１１に円盤形状の遮蔽手段２５と弾性手段２６を設けている。図８（ｂ）は遮蔽手段２５の開時の正面図、および側面図である。この遮蔽手段２５は便座電極１の端子１ａが貫通するための孔２７と開閉ガイド２８が設けられている。便座電極１が接続されていない時は弾性手段２６により遮蔽板２５が回転し、孔２７は本体電極２の孔２９とズレた状態で常に便座電極１の端子１ａの挿入孔を閉塞する構成になっている。図８（ｂ）は遮蔽手段２５が開状態を示し、閉時には孔２７は破線の位置２７ｂに移動し、実線位置２７ａでは孔以外のところにより閉塞される。遮蔽手段２５の開閉ガイド２８に相対する便座電極１には凸部３０が設けられており、凸部３０の挿入により開閉ガイド２８の傾斜部２８ａに添うことにより遮蔽手段２５が回転し、孔２７と本体電極２の孔２９とが合い、便座電極１の端子１ａが挿入できる構成にしてある。このことにより本体電極が露出せず、安全性を確保することができる。
【００２５】
（実施例７）
図９は本発明の第７の実施例における便座電極の断面図を示すもので、（ａ）は本体から便座が離れた状態、（ｂ）は便座と本体とが接続されたときの状態を示す。便座電極１０の外周にカバー３１を設け、このカバー３１の内部には弾性体３２を設けており、本体電極１１との接続の際に、便座側に押し付けられて電便座電極１の端子１ａが出る構成にしてある。このことにより便座電極の端子が露出せず、電極端子の保護をすることができる。
【００２６】
（実施例８）
図１０は本発明の第８の実施例における便座電極と本体電極の構成図をである。図１０（ａ）、（ｂ）はそれぞれ接続時、分離時を示している。本体８の制御部９から電極の端子２ａの間には端子４１ａと端子４２ａがあり、その端子４１ａと端子４２ａの間には可動導電体４３があり、弾性体４４を備えている。その可動導電体４３を作動させる可動子４５は弾性体４６を備え、可動子４５の端部は弾性体４７と接している。便座電極の端子１ａが本体電極の端子２ａと接続されると、可動子４５は便座電極の端部に押され、水平方向に可動する。その可動子の動作を垂直方向の動作に換えて、可動導電体４３を上下に動かすことにより、端子間（端子４１ａと端子４２ｂとの間）がスイッチＯＮ状態となり制御部９から電極端子２ａまでを接続させる。逆に便座３を本体８から外すと、可動子４５は弾性体４６の引張り力により図中右方向に動き、可動子４５の左端部は可動導電体４３から離れ、可動導電体４３も支えがなくなると同時に弾性体４４の伸び力により端子間の接続をＯＦＦにする。
【００２７】
便座電極が本体電極から外れると暖房手段への通電をオフにすることにより、万一の時の電気の漏洩を防ぎ、安全性を確保することができる。
【００２８】
【発明の効果】
以上のように本発明によれば、便座と本体とは有線で繋がれておらず、便座と本体とは電極において接続する構成とし、便座と本体を分離できる構成とすることにより、電気コードによって便座と本体とが繋がれていないため、便座を単体で床に置いて雑巾等で掃除したり、トイレ室以外のところに持ち出して充分に掃除ができ、便座を清潔に保つことが可能となる。また、同様に本体も便器に取付いてあり、便座がない状態表のため、両手で充分に清掃が可能となり、本体も便座同様に清潔に保つことができる。
【図面の簡単な説明】
【図１】本発明の実施例１における暖房便座の構成図
【図２】本発明の実施例１における便座電極と本体電極の接続時の断面図
【図３】本発明の実施例５における便座電極と本体電極の接続時の断面図
【図４】本発明の実施例２における便座電極と本体電極の接続時の断面図
【図５】本発明の実施例３における便座電極と本体電極の接続時の断面図
【図６】本発明の実施例４における便座電極と本体電極の接続時の断面図
【図７】本発明の実施例５における便座電極と本体電極の側面図と正面図
【図８】本発明の実施例６における便座電極と本体電極の接続時の断面図、正面図、側面図
【図９】本発明の実施例７における便座電極の断面図
【図１０】本発明の実施例における便座電極と本体電極の構成図
【符号の説明】
１  便座電極
２  本体電極
３  便座
４  ヒータ
５  温度検出手段
６  ヒンジ
７  リード線
８  本体
９  制御部
１０  本体電極ケース
１６  シール手段
２０  磁石
２２  弾性体
２３  ガイド手段
２５  遮蔽手段
３１  カバー
【図１】
2004180819.tif 000003
【図２】
2004180819.tif 000004
【図３】
2004180819.tif 000005
【図４】
2004180819.tif 000006
【図５】
2004180819.tif 000007
【図６】
2004180819.tif 000008
【図７】
2004180819.tif 000009
【図８】
2004180819.tif 000010
【図９】
2004180819.tif 000011
【図１０】
2004180819.tif 000012